(57)【特許請求の範囲】
【請求項１】
複数のディスクが厚さ方向に並べて設置されるディスク設置部と、前記ディスク設置部に設置された複数のディスクから選択されたディスクを駆動するディスク駆動手段とを有するディスク装置において、
前記ディスクが並ぶ方向を高さ方向としたときに、
前記ディスク設置部には、ディスクの外周縁部を保持する保持部材が高さ方向に並べて設けられており、個々の保持部材には、前記ディスクの上面側に延びる上部支持片と、前記ディスクの下面側に延びる下部支持片とが設けられ、前記ディスクの外周縁部が前記上部支持片と下部支持片の間に挿入されて前記保持部材にディスクが保持可能とされており、
前記上部支持片と前記下部支持片は、高さ方向に対向しない位置に形成されており、各保持部材が前記高さ方向へ積み重ねられた状態で、下側に位置する保持部材の前記上部支持片の厚みの少なくとも一部と、上側に位置する保持部材の前記下部支持片の厚みの少なくとも一部とが、同じ高さに位置していることを特徴とするディスク装置。
【請求項２】
前記上部支持片と前記下部支持片は、保持部材に保持されるディスクの外周方向へ互いに離れた位置に形成されている請求項１記載のディスク装置。
【請求項３】
前記上部支持片と前記下部支持片の少なくとも一方の支持片には、穴または切り欠きが形成されており、各保持部材が積み重ねられた状態で、他方の支持片が前記一方の支持片の前記穴または切り欠きの内部に入り込む請求項１記載のディスク装置。
【請求項４】
前記上部支持片と前記下部支持片の少なくとも一方の支持片は、前記保持部材の上面または下面から突出しており、前記保持部材の上面と下面の少なくとも一方には凹状の段差部が形成されており、保持部材が積み重ねられた状態で、前記の突出する支持片が前記凹状の段差内に入り込む請求項１ないし３のいずれかに記載のディスク装置。
【請求項５】
前記各保持部材を、筐体内で互いに積み重ねられた状態から保持部材間に間隔を形成する状態に移行させる分離手段が設けられ、前記保持部材間の間隔内に前記ディスク駆動手段が入り込むことで、前記保持部材に保持されているディスクが選択されて前記ディスク駆動手段により駆動可能とされる請求項１ないし４のいずれかに記載のディスク装置。
【発明の詳細な説明】
【０００１】
【発明の属する技術分野】
本発明は、ディスクチェンジ機能を有するディスク装置に係わり、特にディスクの外周縁部を保持する保持手段を有するディスク装置に関する。
【０００２】
【従来の技術】
図７は従来のディスク装置に設けられている保持手段を示す平面図、図８は図７のＶＩＩＩ−ＶＩＩＩ線における矢視方向断面図である。
【０００３】
図７に示すディスク装置は、例えば特開平１０−２８３７０７号公報に掲載されているものと同種のものであり、複数の保持部材１に、例えばＣＤ（コンパクトディスク）やＣＤ−ＲＯＭ、あるいはＤＶＤ（ディジタルバーサタイルディスク）などが保持される。
【０００４】
個々の保持部材１の内周面には、中心方向に突出する複数の支持片２が形成されている。図８に示すように、前記支持片２は上部支持片２ａと下部支持片２ｂとが所定の間隔を空けた状態で対向する構成であり、この上部支持片２ａと下部支持片２ｂとの間にディスクＤの外周領域が挟まれて保持される。
【０００５】
図８に示すように、保持部材１は、ディスク装置の筐体内でディスクＤの厚み方向（Ｚ方向）に複数枚積層された状態で配置されている。図示しない昇降分離手段により、前記保持部材１が厚さ方向（Ｚ方向）へ順に上昇または下降させられると、その過程で前記保持部材１は複数枚が密着して積層された状態（図８参照）から、いずれか１枚の保持部材１が他の保持部材から分離した状態に移行させられる。いずれかの保持部材１が他の保持部材から分離させられたときに、分離した前記保持部材１に保持されたディスクＤと他の保持部材に保持されたディスクとの間にディスク駆動手段が入り込み、ディスクＤの中心部がクランプされて回転駆動され、ヘッドにより記録または再生動作が行われる。
【０００６】
【発明が解決しようとする課題】
しかし、上記従来のディスク装置では以下に示すような問題がある。
【０００７】
図８に示す保持部材１は、上部支持片２ａと下部支持片２ｂとの間でディスクＤを上下方向から挟み込む構成であるため、ディスクＤの厚み寸法をＤ１、上部支持片２ａの厚み寸法をｈ１、下部支持片２ｂの厚み寸法をｈ２とすると、保持部材１の厚み寸法Ｈは少なくとも各厚み寸法の和（Ｄ１＋ｈ１＋ｈ２）以上必要である（Ｈ≧Ｄ１＋ｈ１＋ｈ２）。しかも、図８に示すように保持部材１が密着して重ねられた状態で、上部支持片２ａと下部支持片２ｂが上下方向に積み上げられる構造であるため、複数の保持部材１が密着して重ねられたときに、その積層高さは前記厚み寸法Ｈの整数倍になり、複数の保持部材１が重ねられた状態で、複数の保持部材１の合計の高さ寸法が大きくなる。
【０００８】
前記従来例では、前記昇降分離手段によって、複数の保持部材１を順次上昇させまたは下降させていずれかの保持部材１を他の保持部材から分離させるものであるが、複数の保持部材１が重ねられた状態での高さ寸法が大きいと、限られた大きさの筐体内で、前記保持部材１が上昇または昇降する際の移動空間が狭くなる。よって、保持部材が分離したときにディスクとディスクとの間を十分に広げることができず、ディスクとディスクとの間にディスク駆動手段を介入させた際に、ディスク駆動手段とディスクとの間隔余裕を十分にとることができなくなる。
【０００９】
一方、個々の保持部材１を薄くすると、保持部材１が重ねられた状態での高さ寸法を小さくできる。ただし、保持部材１の厚み寸法Ｈを小さくするためには、上部支持片２ａの厚み寸法ｈ１および／又は下部支持片２ｂの厚み寸法ｈ２を薄くすることが必要である。しかし、上部支持片２ａの厚み寸法ｈ１および／又は下部支持片２ｂの厚み寸法ｈ２を薄く形成し過ぎるとその強度が弱くなるため、上部支持片２ａ及び下部支持片２ｂに折れや曲げ変形が生じやすくなる。
【００１０】
また、上部支持片２ａと下部支持片２ｂとの間へディスクＤを挿入しやすくするためには、上部支持片２ａと下部支持片２ｂが対向し合う面の先端部にテーパ面を形成することが必要である。しかし、上部支持片２ａや下部支持片２ｂを薄くすると、前記テーパ面を形成することが困難である。またこのテーパ面を十分に形成できないために、ディスクＤを保持部材１に保持させるときに、ディスクＤの外周縁部が上部支持片２ａや下部支持片２ｂの先端面に当たりやすくなる。
【００１１】
本発明は上記従来の課題を解決するためのものであり、ディスクの外周縁部を保持する保持部材の積層高さを薄くできるディスク装置を提供することを目的としている。
【００１２】
また本発明は、保持部材の支持片を十分な厚さに形成でき、支持片の折れや曲げ変形を防止でき、また支持片の先部にテーパ面を形成しやすいディスク装置を提供することを目的としている。
【００１３】
【課題を解決するための手段】
本発明は、複数のディスクが厚さ方向に並べて設置されるディスク設置部と、前記ディスク設置部に設置された複数のディスクから選択されたディスクを駆動するディスク駆動手段とを有するディスク装置において、
前記ディスクが並ぶ方向を高さ方向としたときに、
前記ディスク設置部には、ディスクの外周縁部を保持する保持部材が高さ方向に並べて設けられており、個々の保持部材には、前記ディスクの上面側に延びる上部支持片と、前記ディスクの下面側に延びる下部支持片とが設けられ、前記ディスクの外周縁部が前記上部支持片と下部支持片の間に挿入されて前記保持部材にディスクが保持可能とされており、
前記上部支持片と前記下部支持片は、高さ方向に対向しない位置に形成されており、各保持部材が前記高さ方向へ積み重ねられた状態で、下側に位置する保持部材の前記上部支持片の厚みの少なくとも一部と、上側に位置する保持部材の前記下部支持片の厚みの少なくとも一部とが、同じ高さに位置していることを特徴とするものである。
【００１４】
本発明では、下側の保持部材の上部支持片と上側の保持部材の下部支持片の厚さ方向の少なくとも一部が同じ高さに位置する状態で、保持部材が積み重ねられるので、複数の保持部材を積層した状態で、下部支持片と上部支持片が高さ方向へ積み重ねられることがなくなり、保持部材の積層高さを従来よりも低くできる。しかも個々の支持片の厚さを必要以上に薄くする必要が無く、支持片の強度を高めることができ、また支持片の先端にディスクの外周縁部を案内するテーパ面を形成しやすくなる。
【００１５】
本発明では、上部支持片と下部支持片の厚さの少なくとも一部が同じ高さ位置にあればよいが、上部支持片と下部支持片とが、ほぼ同じ厚さで形成され、上部支持片と下部支持片の厚みの全長において、前記高さ位置にほぼ完全に一致していることが好ましい。
【００１６】
例えば、前記上部支持片と前記下部支持片は、保持部材に保持されるディスクの外周方向へ互いに離れた位置に形成されているものにでき、あるいは、前記上部支持片と前記下部支持片の少なくとも一方の支持片には、穴または切り欠きが形成されており、各保持部材が積み重ねられた状態で、他方の支持片が前記一方の支持片の前記穴または切り欠きの内部に入り込む構造も可能である。
【００１７】
また、前記上部支持片と前記下部支持片の少なくとも一方の支持片は、前記保持部材の上面または下面から突出しており、前記保持部材の上面と下面の少なくとも一方には凹状の段差部が形成されており、保持部材が積み重ねられた状態で、前記の突出する支持片が前記凹状の段差内に入り込む構造が好ましい。
【００１８】
この構造では、保持部材が積層されたときに、保持部材の上面と下面が互いに広い面積で密着でき、しかも上部支持片と下部支持片は高さ方向に積み上げられることがない。
【００１９】
また、本発明のディスク装置は、前記各保持部材を、筐体内で互いに積み重ねられた状態から保持部材間に間隔を形成する状態に移行させる分離手段が設けられ、前記保持部材間の間隔内に前記ディスク駆動手段が入り込むことで、前記保持部材に保持されているディスクが選択されて前記ディスク駆動手段により駆動可能とされるものに有効である。
【００２０】
上記構成のディスク装置では、複数の保持部材が密着して積み重ねられる高さ寸法を低くできるので、前記積層状態の保持部材を分離する際に、保持部材の移動空間を広く確保でき、限られた大きさの筐体内で構成したときに、分離した保持部材の間隔を広く確保でき、分離した保持部材に保持されたディスク間にディスク駆動手段を介入させる構造を容易に設定できる。
【００２１】
なお、本発明は、前記のように各保持部材が筐体内に設けられた構造に限られず、例えば前記保持部材を積み重ねた状態で収納するマガジンが設けられ、このマガジンがディスク装置の筐体内に外部から装填され、筐体内で前記マガジンがディスクの厚さ方向に分離されるものであってもよい。すなわち、筐体内で、保持部材が前記の積み重ねられた状態から、互いに分離された状態となり、分離された保持部材に保持されたディスクとディスクの間にディスク駆動手段が介入して選択したディスクが駆動可能となる。
【００２２】
または、前記積み重ねられた状態の保持部材のいずれかが、ディスク面方向へ引き出されて選択され、この選択された保持部材に保持されたディスクが駆動されるものであってもよい。
【００２３】
【発明の実施の形態】
以下、本発明について図面を参照して説明する。
【００２４】
図１は本発明のディスク装置の内部構造を示す部分斜視図、図２は個々の保持部材の底部側を上向きにして示す斜視図、図３は個々の保持部材を示す底面図である。
【００２５】
図１に示すディスク装置１０の筐体の内部構造は、図示Ｙ１側のディスク奥部方向にディスク設置領域（ディスク設置部）Ｓｐが設けられている。
【００２６】
前記ディスク設置領域Ｓｐには、例えばＣＤ（コンパクトディスク）やＣＤ−ＲＯＭ（リードオンリーメモリ）、あるいはＤＶＤ（ディジタルバーサタイルディスク）などのディスクＤが、個々の保持部材１１に保持されている。保持部材１１は略弓形形状をしており、図１では６枚の保持部材１１が高さ方向（Ｚ１−Ｚ２方向）に並べられている。
【００２７】
図２と図３に示すように、保持部材１１には４つの孔１２（個別に１２Ａ，１２Ｂ，１２Ｃおよび１２Ｄで示す）が形成され、各孔１２の内面には凸部１２ａが形成されている。また保持部材１１内のディスク設置領域Ｓｐには、前記各孔１２に対応する４本の支柱形状の送り部材１３（個別に１３Ａ，１３Ｂ，１３Ｃおよび１３Ｄで示す）が配設され、各送り部材１３の外周面には不等ピッチの螺旋状溝１３ａが形成されている。この螺旋状溝１３ａは、送り部材１３の両端部の溝ピッチが狭く、且つ中央部の溝ピッチが広くなるように形成されている。
【００２８】
前記保持部材１１は、前記各孔１２を前記各送り部材１３にそれぞれ外挿させた状態でディスク設置領域Ｓｐに収納されている。そして、前記螺旋状溝１３ａに各孔１２に形成された凸部１２ａが噛み合わされている。
【００２９】
前記各送り部材１３の底部には同型同ピッチ円の小歯車１４（個別に１４Ａ，１４Ｂ，１４Ｃおよび１４Ｄで示す）が固定して設けられ、小歯車１４とともに送り部材１３が回転可能である。またディスク設置領域Ｓｐの底面には前記全ての小歯車１４Ａ，１４Ｂ，１４Ｃおよび１４Ｄに噛み合う大歯車１５が回転自在に設けられている。そして、この大歯車１５には図示しないギヤ群を介してモータに連結されており、このモータにより図示時計回り方向又は反時計回り方向の回転が与えられと、前記４つの小歯車１４Ａ，１４Ｂ，１４Ｃおよび１４Ｄが全て同じ方向に同期回転させられる。よって、前記各送り部材１３Ａ，１３Ｂ，１３Ｃおよび１３Ｄは、同じ回転角度で回転させることが可能となっている。このとき、各孔１２の凸部１２ａが前記送り部材１３の螺旋状溝１３ａに沿って垂直方向（Ｚ方向）に送り移動させられるため、保持部材１１を上昇又は下降させることが可能な状態にある。
【００３０】
上記の送り部材１３の螺旋状溝１３ａの不等ピッチ構造により、前記各送り部材１３が回転すると、各保持部材１１は底部側または天井側に密着して積み重ねられた状態から順次Ｚ１方向またはＺ２方向へ送られる。この送り動作の際、送り部材１３の軸方向中央部分の溝ピッチの広がりにより、上昇しまたは下降する保持部材１１が前記中央部分で他の保持部材１１から離れる。すなわち、各保持部材１１は底部側にて密着して重ねられた状態から順次上方へ移動して、天井側で積み重ねられる状態に移行し、または天井側で積み重ねられた状態から順次下降して底部側で積み重ねられた状態になるが、その昇降の途中過程において、保持部材１１は上下に位置する他の保持部材１１から分離される。この実施の形態では、前記送り部材１３、小歯車１４、大歯車１５およびモータによって、保持部材１１を積み重ね状態から分離状態に移行させる分離手段が構成されている。
【００３１】
ディスク設置領域Ｓｐよりも手前の位置（Ｙ２側の位置）には、図示しないディスク搬送手段が設けられている。図１のＸ２側には、ディスクＤを水平に搬送するためのガイド部材１６が設けられている。前記ガイド部材１６は、ディスクＤの厚み寸法よりもわずかに広い対向間隔を有する案内板１６Ａと１６Ｂとから構成されている。ディスクＤは、前記ディスク搬送手段によって図示Ｙ１方向−図示Ｙ２方向に搬送させられるが、このとき、ディスクＤは、図示Ｘ２方向の縁部がガイド部材１６に支持されて案内されるため、ディスクＤを水平に搬送することが可能となっている。
【００３２】
前記分離手段を構成する送り部材１３が回転すると、各保持部材１１は底部側から天井側へ、あるいは天井側から底部側へ順に移動するが、この途中でいずれかの保持部材１１が前記ガイド部材１６と一致する高さに至ったときに、前記送り部材１３を停止させる。この状態で、筐体の外部から挿入されたディスクＤが前記ガイド部材１６に案内された前記保持部材１１に保持される。または前記保持部材１１に保持されているディスクＤが前記ガイド部材１６に案内されて筐体の外部へ排出される。
【００３３】
図３に示すように、筐体内にはディスク駆動手段４０が設けられている。このディスク駆動手段４０は、駆動ベース４３上に、ディスクＤの中心部をクランプしてディスクＤを回転駆動するクランプテーブル４１と、ディスクＤに対して再生および／または記録を行うヘッド４２が搭載されている。前記駆動ベース４３は図示しない退避手段により直線軌跡または円弧軌跡の退避経路４４を通過して、前記ディスク設置領域Ｓｐの内外へ移動可能である。
【００３４】
前記分離手段を構成する送り部材１３の回転力により、保持部材１１が底部側から天井側へ、または天井側から底部側へ順に移送されているときには、前記駆動ベース４３がディスク設置領域Ｓｐの外部に退避している。選択すべきディスクＤを搭載した保持部材１１が、送り部材１３の軸方向の中央部へ移送され上下に重ねられている他の保持部材１１から離れたときに前記送り部材１３を停止させる。そして前記駆動ベース４３が前記退避経路４４に沿ってディスク設置領域Ｓｐ内へ移送され、保持部材１１に保持されているディスクＤの中心がクランプテーブル４１にクランプされて回転駆動される。このとき駆動ベース４３を移動させてディスクＤの外周縁部が保持部材１１からやや離れた位置へ移送された後にディスクＤが回転駆動されることが好ましい。
【００３５】
図４ないし図６は、それぞれ図３のＩＶ−ＩＶ線、Ｖ−Ｖ線およびＶＩ−ＶＩ線の断面図であり、それぞれ（Ａ）は保持部材が上下方向に分離している状態、（Ｂ）は保持部材が積層されている状態を示している。
【００３６】
複数の各保持部材１１は同型同寸法であり、合成樹脂などから形成されている。図２および図３に示すように、保持部材１１は一対の保持アーム２０および３０から構成され、Ｙ１側の端部において棒状の連結部材１７によって連結されている。この保持アーム２０および３０の内側のディスク対向面２０Ａ，３０Ａは円形の凹形状に形成されており、このディスク対向面２０Ａ，３０Ａよりも内側がディスクＤを保持するディスク保持領域Ｓｍとなっている。なお、ディスク保持領域Ｓｍの中心を符号Ｓｏで示している。
【００３７】
保持アーム２０および３０には、ディスク対向面２０Ａ，３０Ａからディスク保持領域Ｓｍの中心Ｓｏ方向に突出する複数の支持片が周方向に並んで形成されている。保持アーム２０には上部支持片２１，２３および下部支持片２２，２４が形成されている。上部支持片２１と２３はディスク対向面２０Ａの上部側（Ｚ１側）から、ディスク保持領域Ｓｍの中心Ｓｏ方向に突出形成され、下部支持片２２と２４はディスク対向面２０Ａの下部側（Ｚ２側）からディスク保持領域Ｓｍの中心Ｓｏ方向に突出形成されている。
【００３８】
保持アーム３０には５つ支持片３１、３２，３３，３４および３５が形成されている。このうち上部支持片３１と３３はディスク対向面３０Ａの上部側（Ｚ１側）から、また下部支持片３２，３４および３５はディスク対向面３０Ａの下部側（Ｚ２側）から、それぞれディスク保持領域Ｓｍの中心Ｓｏ方向に突出形成されている。
【００３９】
前記ディスク保持領域Ｓｍに位置するディスクＤの外周縁部は、各上部支持片２１，２３，３１，３３と、各下部支持片２２，２４，３２，３４，３５とで、上下から挟まれるようにして保持される。
【００４０】
この保持部材１１を構成する保持アーム２０では、上部支持片２１，２３と、下部支持片２２，２４とが、ディスクＤの厚さ方向（Ｚ方向）に互いに対向しないように、すなわち上部支持片２１，２３と、下部支持片２２，２４とが、周方向へ互い違いに位置している。また保持アーム３０においても、上部支持片３１，３３と、下部支持片３２，３４とが、ディスクＤの厚さ方向（Ｚ方向）に互いに対向しないように、周方向へ互い違いに位置している。なお、図３では、識別を容易にするために、各上部支持片２１，２３，３１および３３をハッチングを付して図示している。
【００４１】
図２および図４（Ａ），（Ｂ）では、符号３０ａが保持アーム３０の上面を示し、符号３０ｂは保持アーム３０の下面を示している。上部支持片３３は、前記上面３０ａよりも一段高い位置からディスク保持領域Ｓｍの中心Ｓｏ方向に突出形成されている。すなわち、上部支持部片３３の基部３３ａは、保持アーム３０の上面３０ａよりも図示Ｚ１方向に厚み寸法ｈａだけ突出した状態で形成されている。保持アーム３０の上面３０ａから上部支持片３３の基部３３ａが図示Ｚ１方向に突出する分、上部支持片３３の肉厚を厚く形成することができ、折れや曲げ変形に強く、また適度な弾性を有する上部支持片３３とすることができる。なお、上部支持片３３の下面には、テーパ面３３ｂが形成されている。
【００４２】
保持アーム３０の下面３０ｂの内周側の縁部には、前記上部支持片３３の基部３３ａの真下に位置する凹状の段差部３０ｄが形成されている。この段差部３０ｄの深さ寸法ｈｂは、少なくとも上部支持片３３の基部３３ａの厚み寸法ｈａ以上に設定されている（ｈｂ≧ｈａ）。よって、図４（Ｂ）に示すように、保持アーム３０が密着して積み重ねられたときに、上側に位置する保持アーム３０の段差部３０ｄ内に下側に位置する保持アーム３０の上部支持片３３の基部３３ａを収容することができる。
【００４３】
このとき、上側に位置する保持アーム３０の下部支持片３２および３４と、下側に位置する保持アーム３０の上部支持片３３は、ディスクＤの厚さ方向（Ｚ方向）へ互いに重複するようになる。好ましくは、前記下部支持片３２は上部支持片３３とほぼ同じ厚さに形成されており、図４（Ｂ）に示すように、上下の保持アーム３０，３０が密着した状態に積み上げられたときに、上側の保持アーム３０の下部支持片３２および３４と、下側の保持アーム３０の上部支持片３３とは、その上下面がほぼ同一面となるように組み合わせられる。
【００４４】
なお、この関係は保持アーム２０においても同じであり、保持アーム２０が密着して積み上げられたときに、下側の保持アーム２０の上部支持片２３が、上側の保持アーム２０の段差部２３ａ内に入り込む。その結果、上部支持片２３と、下部支持片２２，２４は、高さ方向でほぼ同じ位置になるように組み合わせられる。
【００４５】
この実施の形態では、図８に示す従来例のように、下部支持片と上部支持片とが高さ方向に積み上げられることがなく、上側の保持部材１１の下部支持片と、下側の保持部材１１の下部支持片が互い違いに位置して高さ方向に重複するため、積み上げられた状態で保持部材１１の積層高さ寸法を小さくできる。
【００４６】
よって、下部支持片３２と上部支持片３３と共に厚く形成でき、両支持片３２と３３に、ディスクＤの外周縁部を案内するためのテーパ面３２ｂおよび３３ｂを余裕を有して形成できる。
【００４７】
図２および図５（Ａ），（Ｂ）に示すように、下部支持片３４は、保持アーム３０の下面３０ｂよりも一段低い位置からディスク保持領域Ｓｍの中心Ｓｏ方向に向けて突出形成されている。すなわち、下部支持片３４の基部３４ａが保持アーム３０の下面３０ｂよりも図示Ｚ２方向に厚み寸法ｈａだけ突出するように形成されている。この下部支持片３４の上面は、テーパ面３４ｂが形成されている。
【００４８】
保持アーム３０の上面３０ａの内周側の縁部には、前記下部支持片３４の基部３４ａの真上に位置する凹状の段差部３０ｅが形成されている。この段差部３０ｅの深さ寸法ｈｂは、少なくとも下部支持片３４の厚み寸法ｈａ以上に設定されている（ｈｂ≧ｈａ）。よって、図５（Ｂ）に示すように、保持アーム３０どうしを重ねたときに、下側に位置する保持アーム３０の段差部３０ｅ内に上側の保持アーム３０の下部支持片３４の基部３４ａを収容することができる。
【００４９】
前記のように、このとき下部支持片３４は、下側に位置する保持アーム３０の上部支持片３３と高さ方向に重複し、同じ高さ位置となる。
【００５０】
図６に示すように、上部支持片３１と下部支持片３５は、ディスクの厚さ方向の上下に形成され、上部支持片３１と下部支持片３５は、共にディスク保持領域Ｓｍの中心Ｓｏ方向に突出している。上部支持片３１の面内には、下部支持片３５と対向する位置に、下部支持片３５よりもやや大きな穴３１ｂが形成されている。したがって、下部支持片３５は、上部支持片３１の穴３１ｂに対向するようになり、上部支持片３１のディスクを支持できる部分と、下部支持片３５とはディスクの厚さ方向（高さ方向）で対向しないようになっている。
【００５１】
前記下部支持片３５の基部３５ａは保持アーム３０の下面３０ｂから厚み寸法ｈａだけ下面方向（Ｚ２方向）に突出するように形成され、上部支持片３１の基部３１ａは保持アーム３０の上面３０ａから厚み寸法ｈａだけ上面方向（Ｚ１方向）に突出するように形成されている。上部支持片３１に形成された穴３１ｂの基部には深さ寸法がｈｂの段差部３０ｆが形成されている。前記段差部３０ｆの深さ寸法ｈｂは、下部支持片３５の基部３５ａの厚み寸法ｈａと同じか、それよりもわずかに大きく形成されている（ｈｂ≧ｈａ）。
【００５２】
図６（Ｂ）に示すように、ディスク保持部材１１が上下に密着して積み重ねられると、下側に位置する保持アーム３０の上部支持片３１の穴３１ｂの内部に上側に位置する保持アーム３０の下部支持片３５が入り込む。このとき、上部支持片３１の段差部３０ｆの内部に、下部支持片３５の基部３５ａが入り込む。
【００５３】
なお、上部支持片３１と下部支持片３５を同じ厚さ寸法で形成することにより、図６（Ｂ）の状態では、上部支持片３１と下部支持片３５が高さ方向に重複して重なる。
【００５４】
以上のように本発明では、ディスクＤを保持する各支持片を、保持部材１１の上面３０ａおよび下面３０ｂから厚みを増す方向に突出させて形成することができ、これにより各支持片の厚み寸法を厚く形成することができる、よって、折れや曲げ変形に対して強い支持片とすることができる。また上面３０ａおよび下面３０ｂから突出する各支持片を上下の保持部材１１の各段差部で保持部材１１の厚み寸法内に収容でき、その結果、上部支持片と下部支持片とが高さ方向に重複し、上部支持片と下部支持片とがほぼ同じ面に位置するように組み合わされる。よって、図８に示す従来例のように、下部支持片と上部支持片とが高さ方向に積み上げられることがなく、保持部材１１が重ねられた状態での積層高さ寸法を薄くできる。
【００５５】
よって、前記送り装置１３により、筐体の底部側および天井側へ送られて重ねられた保持部材１１の積層高さを薄くできる。そのため、送り部材１３の螺旋状溝１３ａの中央部のピッチの大きい部分で保持部材１１を他の保持部材１１から分離する際に、分離された保持部材１１の昇降領域を上下に広く確保できる。したがって、分離された保持部材１１に保持されたディスクＤと、底部側または天井側に位置する保持部材１１に保持されたディスクＤとの間を広く開けることができ、このディスク間にディスク駆動手段４０が入り込んだときに、ディスク駆動手段４０とディスク面との間に余裕を設けることが可能になる。
【００５６】
また、各支持片２１，２２，２３，２４，３１，３２，３３，３４および３５の厚さ寸法ｈａを厚く形成することが可能となる。よって、各支持片に形成する各テーパ面（例えば、テーパ面３３ｂ，３４ｂ）を比較的大きく形成することができ、ディスクＤを保持部材１１に保持させるときに、ディスクＤの外周縁部を、上部支持片と下部支持片との間に確実に案内できる。
【００５７】
また図２および図３に示すように、下部支持片２２，２４，３２および３４の一方の側部に周方向に延びる腕部２２ａ，２４ａ，３２ａおよび３４ａを形成し、この各腕部２２ａ，２４ａ，３２ａおよび３４ａによりディスクＤを保持できるようにすると、ディスクＤの保持を安定させることができる。
【００５８】
また、上記に示す保持部材１１は、保持アーム２０と保持アーム３０とを連結部材１７で連結することで構成されているが、保持アーム２０と保持アーム３０とが一体に形成されたものであってもよい。
【００５９】
【発明の効果】
以上詳述した本発明によれば、保持部材に形成されてディスクの外周縁部を上下から支持する上部支持片と下部支持片を比較的厚いものにしても、上下の保持部材が重ねられたときに、上部支持片と下部支持片とがディスクの厚さ方向に積み上げられることがない。よって複数の保持部材が積み重ねられた状態で、積層高さ寸法を最小にできる。
【００６０】
また、前記上部支持片と下部支持片を厚くできるため、各支持片の強度を高くでき、また各支持片に、ディスクを案内するためのテーパ面を形成しやすくなる。その結果、上部支持片と下部支持片との間に、ディスクを確実に案内して保持することができる。
【図面の簡単な説明】
【図１】本発明のディスク装置の内部構造を示す部分斜視図、
【図２】個々の保持部材の底部側を上向きにして示す斜視図、
【図３】個々の保持部材を示す底面図、
【図４】図３のＩＶ−ＩＶ線断面図であり、（Ａ）は保持部材が上下方向に分離している状態、（Ｂ）は保持部材が積層されている状態を示す、
【図５】図３のＶ−Ｖ線断面図であり、（Ａ）は保持部材が上下方向に分離している状態、（Ｂ）は保持部材が積層されている状態を示す、
【図６】図３のＶＩ−ＶＩ線断面図であり、（Ａ）は保持部材が上下方向に分離している状態、（Ｂ）は保持部材が積層されている状態を示す、
【図７】従来のディスク装置に設けられている保持手段を示す平面図、
【図８】図７のＶＩＩＩ−ＶＩＩＩ線における矢視方向断面図、
【符号の説明】
１０  ディスク装置
１１  保持部材
１２  孔
１３  送り部材
１４  小歯車
１５  大歯車
１６  ガイド部材
２０，３０  保持アーム
２０ａ，３０ａ  保持アームの上面
２０ｂ，３０ｂ  保持アームの下面
２０Ａ，２０Ｂ  ディスク対向面
２１，２３，３１，３３  上部支持片
２２，２４，３２，３４，３５  下部支持片
３０ｄ，３０ｅ，３０ｆ  段差部
３１ｂ  穴
３３ａ，３４ａ  基部
Ｓｐ  ディスク設置領域
Ｓｍ  ディスク保持領域
Ｄ  ディスク
【図１】
0003755638.tif 000002
【図２】
0003755638.tif 000003
【図３】
0003755638.tif 000004
【図４】
0003755638.tif 000005
【図５】
0003755638.tif 000006
【図６】
0003755638.tif 000007
【図７】
0003755638.tif 000008
【図８】
0003755638.tif 000009